(57)【特許請求の範囲】
【請求項１】
居住者の睡眠状態の変化を検知し、この睡眠状態の変化を示す検知信号を送信する睡状態検知手段と、
屋内および屋外の温度や湿度の環境情報を収集する環境情報収集手段と、
これらの環境情報に従って、前記居住者のいる室の温度や湿度の屋内環境の調整を行う環境調整手段と、
居住者が深い睡眠状態から浅い睡眠状態になることを示す前記検知信号を受信したとき前記環境調整手段の動作を制御する室内空調モードをオンにし、または、居住者が浅い睡眠状態から深い睡眠状態になることを示す前記検知信号を受信したとき前記室内空調モードをオフにする制御手段と、
を備えており、
前記環境情報収集手段は、
前記室内の温度を検出する室内温度検出手段と、
前記室の天井付近の温度を検出する上方温度検出手段と、
外気温度を検出する外気温度検出手段と、を備え、
前記環境調整手段は、
前記室の天井裏に引き込まれた空気を外部に排気する空気排気手段と、
前記室内に外部の空気を取り込む外部空気取込手段と、
前記室の天井裏に室内の空気を引き込む空気引込手段と、
前記室内に設けられたエアコンと、を備え、
前記制御手段は、
前記室内空調モードがオフのときは、
前記空気排気手段と、外部空気取込手段と、空気引込手段と、エアコンとを停止し、
前記室内空調モードがオンのときは、設定温度をＴｓｅｔとすると、
（１）前記上方温度検出手段によって検出された天井付近の温度が、前記室内温度検出手段によって検出された室内温度より所定温度ｄｔ以上高い場合において、
（１ａ）室内温度≧Ｔsetのとき、前記外部空気取込手段、前記空気引込手段、前記空気排気手段を運転し、前記エアコンを停止し、
（１ｂ）室内温度＜Ｔset かつ 外気温＜Ｔsetのとき、前記空気排気手段と前記外部空気取込手段を運転し、前記空気引込手段と前記エアコンを停止し、
（１ｃ）室内温度＜Ｔset かつ 外気温≧Ｔsetのとき、前記外部空気取込手段、前記空気引込手段、前記空気排気手段、前記エアコンを停止し、
（２）前記上方温度検出手段によって検出された天井付近の温度が、前記室内温度検出手段によって検出された室内温度より所定温度ｄｔ高い温度未満の場合において、
（２ａ）室内温度≧Ｔsetのとき、前記空気排気手段、前記外部空気取込手段、前記空気引込手段を運転し、前記エアコンを停止し、
（２ｂ）室内温度＜Ｔsetのとき、前記空気排気手段、前記外部空気取込手段、前記空気引込手段、前記エアコンを停止する
ことを特徴とする睡眠環境調整システム。
【請求項２】
請求項１に記載の睡眠環境調整システムにおいて、
前記制御手段は、居住者の睡眠状態の変化に応じて、建物内に設けられている照明装置の調光を制御する調光制御手段を制御することを特徴とする睡眠環境調整システム。
【請求項３】
請求項１または２に記載の睡眠環境調整システムにおいて、
前記制御手段は、居住者の睡眠状態の変化に応じて、建物内への日射を遮蔽するための遮蔽装置の開閉を制御する遮蔽装置制御手段を制御することを特徴とする睡眠環境調整システム。
【発明の詳細な説明】
【技術分野】
【０００１】
本発明は、睡眠環境調整システムに関する。
【背景技術】
【０００２】
従来、寝室内に就寝する就寝者に体感されるパラメータを調整する所定の就寝環境調整装置と、該就寝環境調整装置の動作を制御する制御手段とを備える環境制御装置であって、前記制御手段が、就寝者の睡眠状態に依存する温度及び／ 又は湿度パラメータを計測する計測手段と、前記計測手段の計測値が所定の上昇傾向を示した場合に、予め定められた動作状態で前記就寝環境調整装置を制御するフィードフォワード制御部とを具備する環境制御装置が提案されている（特許文献１参照）。
この環境制御装置によれば、就寝者の睡眠状態に依存する温度及び／ 又は湿度パラメータ、例えば就寝者の背中乃至は腹の温度、若しくは寝具の温度及び／ 又は湿度を計測し、フィードフォワード制御部により、所定の上昇傾向を示した場合に就寝環境調整装置を予め定められた動作状態、例えば就寝者の周囲温度を所定温度だけ下げる動作を行わせるようにしている。そして、このようなフィードフォワード制御により、体動発生の契機となる暑さ感は軽減され、就寝者の体動の発生を未然に防止でき、ひいては就寝者の睡眠段階を深い睡眠状態に維持できるようになる。
【先行技術文献】
【特許文献】
【０００３】
【特許文献１】特開２００７−１９８６５３号公報
【発明の概要】
【発明が解決しようとする課題】
【０００４】
しかし、特許文献１では、就寝者の背中乃至は腹の温度、若しくは寝具の温度及び／ 又は湿度を計測し、フィードフォワード制御部により、所定の上昇傾向を示した場合に就寝環境調整装置に予め定められた動作（例えば、就寝者の周囲温度を所定温度だけ下げる動作）を行わせるようにしているため、必ず電力を消費するという問題があった。
【０００５】
そのため、無駄な電力の使用を防ぐ一方で、睡眠状態の変化に応じて快適な睡眠環境を提供することが望まれる。
【０００６】
本発明は、無駄な電力の使用を防ぐ一方で、睡眠状態の変化に応じて快適な睡眠環境を提供する睡眠環境調整システムを提供することを目的とする。
【課題を解決するための手段】
【０００７】
上記課題を解決するために、請求項１に記載の発明は、例えば、図２に示すように、睡眠環境調整システム１００において、
居住者の睡眠状態の変化を検知し、この睡眠状態の変化を示す検知信号を送信する睡眠状態検知手段２０と、
屋内および屋外の温度や湿度の環境情報を収集する環境情報収集手段１１，１２，１３と、
これらの環境情報に従って、前記居住者のいる室１の温度や湿度の屋内環境の調整を行う環境調整手段５，６，７，８と、
居住者が深い睡眠状態から浅い睡眠状態になることを示す前記検知信号を受信したとき前記環境調整手段５，６，７，８の動作を制御する室内空調モードをオンにし、居住者が浅い睡眠状態から深い睡眠状態になることを示す前記検知信号を受信したとき前記室内空調モードをオフにする制御手段１０と、
を備えており、
前記環境情報収集手段１１，１２，１３は、
前記室１内の温度を検出する室内温度検出手段１１と、
前記室１の天井付近の温度を検出する上方温度検出手段１２と、
外気温度を検出する外気温度検出手段１３と、を備え、
前記環境調整手段５，６，７，８は、
前記室１の天井裏に引き込まれた空気を外部に排気する空気排気手段７と、
前記室１内に外部の空気を取り込む外部空気取込手段５と、
前記室１の天井裏に室内の空気を引き込む空気引込手段６と、
前記室１内に設けられたエアコン８と、を備え、
前記制御手段１０は、
前記室内空調モードがオフのときは、
前記空気排気手段７と、外部空気取込手段５と、空気引込手段６と、エアコン８とを停止し、
前記室内空調モードがオンのときは、設定温度をＴｓｅｔとすると、
（１）前記上方温度検出手段１２によって検出された天井付近の温度が、前記室内温度検出手段１１によって検出された室内温度より所定温度ｄｔ以上高い場合において、
（１ａ）室内温度≧Ｔsetのとき、前記外部空気取込手段５、前記空気引込手段６、前記空気排気手段７を運転し、前記エアコン８を停止し、
（１ｂ）室内温度＜Ｔset かつ 外気温＜Ｔsetのとき、前記空気排気手段７と前記外部空気取込手段５を運転し、前記空気引込手段６と前記エアコン８を停止し、
（１ｃ）室内温度＜Ｔset かつ 外気温≧Ｔsetのとき、前記外部空気取込手段５、前記空気引込手段６、前記空気排気手段７、前記エアコン８を停止し、
（２）前記上方温度検出手段によって検出された天井付近の温度が、前記室内温度検出手段１１によって検出された室内温度より所定温度ｄｔ高い温度未満の場合において、
（２ａ）室内温度≧Ｔsetのとき、前記空気排気手段７、前記外部空気取込手段５、前記空気引込手段６を運転し、前記エアコン８を停止し、
（２ｂ）室内温度＜Ｔsetのとき、前記空気排気手段７、前記外部空気取込手段５、前記空気引込手段６、前記エアコン８を停止する
ことを特徴とする。
【０００８】
請求項１に記載の発明によれば、居住者の睡眠状態の変化に合わせて、前記居住者のいる室の室内空調モードをオン・オフ制御できるので、居住者に対して快適な睡眠時間を提供することができる一方で、無駄な電力の使用を防ぐことができ、省エネ効果を高めることができる。
【００１０】
また、前記室内空調モードがオンのときでも、前記環境情報収集手段により収集された環境情報に従って各モードで動作するので、各モードを組み合わせて環境調整を行うことで、エネルギーコストを低減しながら、居住者にとって快適な睡眠環境を形成できる。
【００１２】
しかも、前記室内空調モードがオンのとき、制御手段１０によって外部空気取込手段５を制御できるので、外部空気取込手段５を開放して外気を取り入れたり、外部空気取込手段５を閉塞して換気を止めたりでき、居住者にとって快適な睡眠環境を形成できる。
【００１３】
請求項２に記載の発明は、例えば、図２に示すように、
請求項１に記載の睡眠環境調整システム１００において、
前記制御手段１０は、居住者の睡眠状態の変化に応じて、建物内に設けられていれる照明装置の調光を制御する調光制御手段２１を制御することを特徴とする。
【００１４】
請求項２に記載の発明によれば、照明装置の調光を制御できるので、居住者の睡眠状態に合わせて部屋を明るくしたり暗くしたりできる。これによって、快適な睡眠環境だけでなく、快適な起床環境も形成できる。
【００１５】
請求項３に記載の発明は、例えば、図２に示すように、
請求項１または２に記載の睡眠環境調整システム１００において、
前記制御手段１０は、居住者の睡眠状態の変化に応じて、建物内への日射を遮蔽するための遮蔽装置の開閉を制御する遮蔽装置制御手段２３を制御することを特徴とする。
【００１６】
請求項３に記載の発明によれば、遮蔽装置を制御できるので、居住者の睡眠状態に合わせて日射を遮ったり取り込んだりできる。これによって、快適な睡眠環境だけでなく、快適な起床環境も形成できる。
【発明の効果】
【００１７】
本発明によれば、無駄な電力の使用を防ぐ一方で、睡眠状態変化に応じて快適な睡眠環境を提供する睡眠環境調整システムを提供することができる。
【図面の簡単な説明】
【００１８】
【図１】本発明に係る建物内の睡眠環境調整システムの一例を示すもので、システムを構成する構成部材をその位置とともに示す概略図である。
【図２】同、システム構成を示すブロック図である。
【図３】同、外部空気取込手段を示す斜視図である。
【図４】同、空調システムのリモコンを示す正面図である。
【図５】同、温度条件による制御状態を示す表である。
【図６】同、居住者の睡眠状態の変化を示す図である。
【発明を実施するための形態】
【００１９】
以下、図面を参照して本発明に係る建物内の睡眠環境調整システムの一例について説明する。本実施の形態では、居住者が寝る室１に、受信手段１７、調光制御手段２１、遮蔽装置制御手段２３が取り付けられている。居住者が他の室で寝る場合には、必要に応じて、その室に、受信手段１７、調光制御手段２１、遮蔽装置制御手段２３を取り付ける。
【００２０】
本実施の形態の建物内の睡眠環境調整システム１００は、図１および図２に示すように、居住者に装着され、居住者の睡眠状態の変化を検知し、この睡眠状態の変化を示す検知信号を送信する睡眠状態検知手段２０と、睡眠状態検知手段２０から前記検知信号を受信する、室１に取り付けられている受信手段１７と、室１に取り付けられた照明装置の調光を制御する調光制御手段２１と、室１に取り付けられた建物内への日射を遮蔽するための遮蔽装置の開閉を制御する遮蔽装置制御手段２３とを備えている。更に、睡眠環境調整システム１００は、建物の各室１,２,３の室内空調をそれぞれ個別に制御するものであり、各室１,２,３にそれぞれ設けられて、それぞれ外部の空気を取り込む外部空気取込手段５と、室１,２,３のそれぞれの天井裏１ａ,２ａ,３ａに室内の空気を引き込む空気引込手段６と、各部屋１,２,３の天井裏に引き込まれた空気を外部に排気する空気排気手段７と、室１,２,３のそれぞれに設けられたエアコン８と、外部空気取込手段５、空気引込手段６、エアコン８、調光制御手段２１、遮蔽装置制御手段２３を、各室１,２,３ごとに制御するともに空気排気手段７を制御する制御手段１０と、各種設定情報を記憶している記憶手段２５とを備えている。
【００２１】
また、各室１,２,３には、室内１,２,３の温度を検出する室内温度検出手段１１と、室１,２,３の天井付近の温度を検出する上方温度検出手段１２とが設けられており、これら室内温度検出手段１１と上方温度検出手段１２とは前記制御手段１０に接続されている。
また、建物の１階の床下には、外気温を検出する外気温度検出手段１３が設けられており、この外気温度検出手段１３は制御手段１０に接続されている。
なお、図２において、制御手段１０に、室１および室２の外部空気取込手段５、空気引込手段６、エアコン８等を接続しているが、実際には、室３の外部空気取込手段５、空気引込手段６、エアコン８等も接続されている。
【００２２】
ここで、外部空気取込手段５と、空気引込手段６と、空気排気手段７と、エアコン８とが本発明の環境調整手段に相当し、室内温度検出手段１１と、上方温度検出手段１２と、外気温度検出手段１３とが、本発明の環境情報収集手段に相当する。
【００２３】
睡眠状態検知手段２０は、居住者の手首に取り付けられているリストバンドタイプ、腕時計タイプ等の装着可能な装置であり、睡眠中の居住者の身体の動きをモニターするアクセロメーターを内蔵し、このアクセロメーターから出力された睡眠状態の変化を示す検知信号を受信手段１７へ送信する。睡眠状態検知手段２０は、図６に示すような、レム睡眠（第１段階）からノンレム睡眠（第４段階）の各段階の睡眠状態を検知し、睡眠状態の変化があると受信手段１７に前記検知信号を送信する。一般的には、図６に示すように、９０分のサイクルで、ノンレム睡眠、レム睡眠が繰り返され、サイクルが繰り返されるに従って、眠りが浅くなってくる。
【００２４】
受信手段１７は睡眠状態検知手段２０から前記検知信号を受信し、制御手段１０は受信手段１７から前記検知信号を受信する。制御手段１０は、居住者が深い睡眠状態から浅い睡眠状態になることを示す前記検知信号を受信したとき前記環境調整手段５，６，７，８の動作を制御する室内空調モードをオン制御し、または、居住者が浅い睡眠状態から深い睡眠状態になることを示す前記検知信号を受信したとき前記室内空調モードをオフ制御する。
例えば、制御手段１０は、第１段階から第２段階になったとき、居住者が浅い睡眠状態から深い睡眠状態になったと判断し、前記環境調整手段５，６，７，８の動作を制御する室内空調モードをオフ制御する。また、制御手段１０は、第３段階から第２段階になったとき、居住者が深い睡眠状態から浅い睡眠状態になったと判断し、前記室内空調モードをオン制御する。
つまり、居住者が浅い睡眠状態から深い睡眠状態になったと判断したとき、前記環境調整手段５，６，７，８の動作を停止し、節電を図り、居住者が深い睡眠状態から浅い睡眠状態になったと判断し、前記環境調整手段５，６，７，８の動作を開始し、居住者に快適な睡眠環境を提供する。
【００２５】
また、前記制御手段１０は、居住者の睡眠状態の変化に応じて、建物内に設けられていれる照明装置の調光を制御する調光制御手段２１を制御する。例えば、制御部１０は、居住者の睡眠時間に合わせて、調光を制御する。具体的には、記憶手段２５は、居住者が、夜１２時に寝て、朝の７時に起きることを照明装置の調光データとして予め記憶しておく。制御部１０は、図６に示す睡眠モードボタン１６ｅが押されて睡眠モードがセットされると、記憶手段２５から調光データを読み出し、夜の１２を過ぎると、居住者が夜の１２時に寝始めて、第１段階から第２段階に睡眠状態が変化したことを示す検知信号を受信するまで待機状態になる。そして、制御部１０は、睡眠状態検知手段２０から検知信号を受信した場合、制御部１０は、調光制御手段２１を制御して、照明装置をオフにする。また、制御部１０は、前記睡眠モードがセットされると、記憶手段２５から調光データを読み出し、起床時間が朝７時に設定されている場合は、例えば、起床時間の２０分前から、第２段階から第１段階に睡眠状態が変化したことを示す睡眠状態の検知信号を受信するまで待機状態になる。そして、制御部１０は、睡眠状態検知手段２０から検知信号を受信した場合、制御部１０は、調光制御手段２１を制御して、照明装置をオンにする。制御部１０は、朝７時までに検知信号を受信しない場合は、朝７時に調光制御手段２１を制御して、照明装置をオンにする。また、制御部１０は、各睡眠の段階に応じて、照明装置を、徐々に暗くしたり、徐々に明るくしたり、調光制御手段２１を制御してもよい。
【００２６】
また、前記制御手段１０は、居住者の睡眠状態の変化に応じて、建物内への日射を遮蔽するための電動シャッター、電動ブラインド、電動ブラインドシャッター等の遮蔽装置の開閉を制御する遮蔽装置制御手段２３を制御する。例えば、制御部１０は、居住者の睡眠時間に合わせて、遮蔽装置の開閉を制御する。具体的には、記憶手段２５は、居住者が、夜１２時に寝て、朝の７時に起きることを遮蔽装置の開閉データとして予め記憶しておく。制御部１０は、図６に示す睡眠モードボタン１６ｅが押されて睡眠モードがセットされると記憶手段２５から開閉データを読み出し、夜の１２を過ぎると、居住者が、夜の１２時に寝始めて、第１段階から第２段階に睡眠状態が変化したことを示す睡眠状態の検知信号を受信するまで待機状態になる。そして、制御部１０は、睡眠状態検知手段２０から検知信号を受信した場合、制御部１０は、遮蔽装置制御手段２３を制御して、遮蔽装置を閉める。また、制御部１０は、前記睡眠モードがセットされると記憶手段２５から調光データを読み出し、起床時間が朝７時に設定されている場合は、例えば、起床時間の２０分前から、第２段階から第１段階に睡眠状態が変化したことを示す検知信号を受信するまで待機状態になる。そして、制御部１０は、睡眠状態検知手段２０から検知信号を受信した場合、制御部１０は、遮蔽装置制御手段２３を制御して、遮蔽装置を開ける。制御部１０は、朝７時までに検知信号を受信しない場合は、朝７時に遮蔽装置制御手段２３を制御して、遮蔽装置を開ける。また、制御部１０は、各睡眠の段階に応じて、遮蔽装置を、徐々に開けたり、徐々に閉めたり、遮蔽装置制御手段２３を制御してもよい。
【００２７】
前記外部空気取込手段５は、例えば、各部屋１,２,３の外部に面する外壁に設けられた送風換気窓枠５によって構成されている。この送風換気窓枠５は、図３に示すように、矩形の窓枠を構成する横枠または縦枠もしくは双方に、外部の空気を取り込んで、室内に送風する送風孔５ａが所定間隔で複数設けられるとともに、窓枠内部にこの送風孔５ａを開閉する図示しない開閉部材が設けられてなるものであり、この開閉部材が前記制御手段１０によって開閉されるようになっている。また、窓枠内部に、外部の空気を送風孔５ａに吸い込んで室内に吹き出すための、ファンを設けてもよく、この場合、当該ファンの回転・停止が前記開閉部材とともに制御手段１０によって制御されるようになっている。
また、外部空気取込手段５としては、前記送風換気窓枠５に代えて、自動的に開閉可能な地窓を設けてもよい。この場合、この地窓の開閉が制御手段１０によって制御されるようになっている。
【００２８】
前記空気引込手段６は、図１に示すように、室１,２,３のそれぞれの天井裏１ａ,２ａ,３ａに設けられたファン６ａと、このファン６ａに対向して天井板に形成された開口部６ｂとから構成されている。そして、このファン６ａが前記制御手段１０によって回転・停止されるようになっている。なお、前記開口部６ｂには図示しないルーバが設けられており、室内から天井裏のファン６ａが見えないようになっている。
また、室２は１階に設けられているので、空気引込手段６によって室内２から天井裏２ａに引き込まれた空気は、室１と室２とを仕切る壁に設けられた吹出口１４から吹き出されて、室１内を上昇し、室１の空気引込手段６によって天井裏１ａに引き込まれるようになっている。室１は２階の天井まで吹き抜ける高天井室であり、その天井裏１ａは２階の室３の天井裏３ａと連通している。
【００２９】
前記空気排気手段７は、建物の屋根棟部に設けられるとともに、内部が前記天井裏１ａ、３ａと連通している越屋根部１５内に設けられた大型のファン７ａと、越屋根部１５の壁に設けられた開口部７ｂとから構成されており、この開口部７ｂには雨の侵入を防止する図示しないガラリが設けられている。そして、大型のファン７ａの回転・停止が制御手段１０によって制御されるようになっている。なお、大型のファン７ａは前記ファン６ａより低速度で回転するが、ファン７ａが大型のため排気風量は大風量となっている。
また、空気排気手段７を運転し、かつ、空気引込手段６を停止した場合、室の空気は、空気排気手段７によって天井裏の空気が排気されるので、これに伴って、天井板に設けられた前記開口部６ｂから天井裏に自然と流入する。
【００３０】
前記室内温度検出手段１１は、例えば温度センサ１１によって構成されており、この温度センサ１１は睡眠環境調整システム用のリモコン１６に内蔵されている。
リモコン１６は制御手段１０に信号線によって接続され、これに内蔵されている温度センサ１１も信号線によって制御手段１０に接続されている。
また、リモコン１６は室内の壁面等に固定されている。例えば建物の室１,２,３の壁に、照明スイッチ等とほぼ同じ高さ（床面から１ｍ〜１．５ｍ程度の高さ）に固定されている。このリモコン１６に温度センサ１１が内蔵されているので、この温度センサ１１によって室１,２,３の下部の温度を検出できるようになっている。
【００３１】
上方温度検出手段１２は、例えば温度センサ１２によって構成されており、この温度センサ１２は、図１に示すように、室１,２,３のそれぞれ天井板の下面に固定されている。したがって、この温度センサ１２によって天井付近の温度を検出することができるようになっている。また、温度センサ１２は、図２に示すように、信号線によって制御手段１０に接続されている。
外気温度検出手段１３は、例えば温度センサ１３によって構成されており、この温度センサ１３は、図１に示すように、１階の床下でかつ風通しのよい場所（換気台輪近く）に設置されている。したがって、この温度センサ１３によって外気温度を検出することができるようになっている。なお、温度センサ１３は、メンテナンス等を容易に行える床下収納庫付近に設置するのが望ましい。また、温度センサ１３は信号線によって制御手段１０に接続されている。
【００３２】
前記リモコン１６は、本実施の形態の建物内の睡眠環境調整システムの室内空調モードのオン・オフ、システム設定温度の設定・変更の際に使用されるもので、図４に示すように、室内空調モードのオン・オフを行う運転／停止ボタン１６ａ、システム設定温度の設定・変更を行う温度ボタン１６ｂ、システム設定温度等を表示する液晶画面１６ｃ、睡眠モードのオン・オフを行う睡眠モードボタン１６ｅ等を備えている。
本実施の形態の建物内の睡眠環境調整システムを運転する場合、運転／停止ボタン１６ａを押し、運転／停止ボタン１６ａのランプ１６ｄが点灯するようにし、液晶画面１６ｃに現在の設定温度が表示され、外部空気取込手段５、空気引込手段６、空気排気手段７、エアコン８の運転が温度状況に合わせて自動的に制御されるようになっている。
建物内の睡眠環境調整システムを停止させる場合、運転／停止ボタン１６ａを押し、運転／停止ボタン１６ａのランプ１６ｄが消灯するようにし、これによって、液晶画面１６ｃの表示が消え、外部空気取込手段５、空気引込手段６、空気排気手段７、エアコン８を停止するようになっている。
なお、リモコン１６は、室１,２,３にそれぞれ設置されているので、室１,２,３のいずれからも室内空調システムのオン・オフを行えるようになっている。
【００３３】
なお、前記リモコン１６の代わりに、温度センサを備えた携帯型のコンピュータを使用して、室内空調システムのオン・オフや、システム設定温度の設定・変更を行うようにしてもよい。
また、前記制御手段１０による制御中において、外部空気取込手段５、空気引込手段６、空気排気手段７、エアコン８は、それぞれの専用リモコンによってそれぞれ手動操作することができるが、すぐに制御状態に戻るようになっている。したがって、外部空気取込手段５、空気引込手段６、空気排気手段７、エアコン８をそれぞれ手動で操作したい場合、前記リモコン１６の運転／停止ボタン１６ａによって本システムを停止させてから、それぞれの専用リモコンによって手動操作する。
【００３４】
次に、夏季において、本実施の形態の建物内の睡眠環境調整システムによって室１の空調を個別に制御する方法の一例について図５に示す表を参照しながら説明する。
初期状態では、外部空気取込手段５、空気引込手段６、空気排気手段７、エアコン８は停止した状態となっている。
まず、室１のリモコン１６の運転／停止ボタン１６ａによって、前記環境調整手段５，６，７，８の運転・停止（動作）を制御する室内空調モードをオンにする。室内空調モードでは、睡眠状態検知手段２０から出力される検知信号の受信の有無に係らず、前記環境調整手段５，６，７，８を動作する空調モードである。これによって、本空調システムが運転開始されるとともに、エアコン８がオンとなる。これは、制御手段１０から制御ユニット８ａに信号が送信され、この制御ユニット８ａからエアコン８にオン信号が送信されることによって行われる。
また、システムの設定温度Ｔsetをリモコン１６の温度ボタン１６ｂによって２８℃に設定するとともに、エアコン８の設定温度を、設定温度より低い２７℃に設定する。
【００３５】
次に、リモコン１６の睡眠モードボタン１６ｅを押すと、前記睡眠状態検知手段２０によって検知された睡眠状態の変化に従って、室内空調モードのオン・オフを切り替える睡眠モードに設定される。睡眠モードにおいて、制御手段１０は、受信手段１７で検知信号を受信すると、居住者が深い睡眠状態から浅い睡眠状態になることを示す前記検知信号を受信したとき前記室内空調モードをオンにし、または、居住者が浅い睡眠状態から深い睡眠状態になることを示す前記検知信号を受信したとき前記室内空調モードをオフにする。前記室内空調モードがオフのときは、環境情報収集手段１１，１２，１３で収集された環境情報に従って、前記環境調整手段５，６，７，８が動作しないため、電力を消費することはない。
【００３６】
以下、室内空調モードがオンのときの睡眠環境調整システムの動作例を説明する。室内空調モードがオンのとき、前記環境調整手段５，６，７，８は、前記環境情報収集手段１１，１２，１３により収集された環境情報に従って、（１）停止モードと、（２）外気を取り入れる涼風制御モードと、（３）屋内環境を調整するエアコン運転モードとのいずれかのモードで動作する。
図５に示す例では、状態番号１，４，８，９が「停止モード」とであり、状態番号２，３，５，６，７，１０，１１が「涼風制御モード」であり、状態番号１２がエアコン運転モードである。
【００３７】
次に、夏季における室１の下部の温度と天井付近の温度をそれぞれ温度センサ１１，１２が検出し、これら検出値の差によって温度差（上下温度差）を求める。これは前記制御手段１０に、温度センサ１１，１２による検出値が入力されるので、この制御手段１０によってこれら検出値の差を求めることによって行われる。
まず、本実施の形態では、
（１）温度センサ１２によって検出された天井付近の温度が、温度センサ１１によって検出された室内温度より所定温度ｄｔ（例えば３℃）以上高い場合、つまり、天井付近に高温の空気が溜まっている場合に以下のような制御を行う。
【００３８】
（１ａ）室内温度≧Ｔset（２８℃）のとき、制御手段１０が外部空気取込手段５、空気引込手段６、空気排気手段７を運転し、前記エアコン８を停止する。
外部空気取込手段５が送風換気窓枠５である場合、送風孔５ａを開けるとともに、ファンが内蔵されている場合、ファンも作動させる。
また、外部空気取込手段５が自動的に開閉可能な地窓である場合、当該地窓を開ける。
このような制御は、外気温＜Ｔset、外気温≧Ｔsetの双方の場合で行われる。
外気温＜Ｔsetの場合、図５中、状態番号が「７」で「強制空冷」となる。つまり、外気温が設定温度より低いので、天井付近の高温の空気を空気引込手段６によって天井裏１ａに引き込み、さらに、空気排気手段７によって外部に排気するとともに、外部空気取込手段５によって涼しい外気を室１に取り入れる。
外気温≧Ｔsetの場合、図５中、状態番号が「１１」で「強制排熱」となる。つまり、外気温が設定温度以上であるが、天井付近の高温の空気を空気引込手段６によって天井裏１ａに引き込み、さらに、空気排気手段７によって外部に強制的に排気する。一方、外部空気取込手段５によって設定温度以上の外気が室１に取り入れられるが、この外気によって、室内が撹拌されるので、高温の空気の淀みを防止できる。
【００３９】
（１ｂ）室内温度＜Ｔset かつ 外気温＜Ｔsetのとき、制御手段１０が空気排気手段７と外部空気取込手段５を運転し、空気引込手段６とエアコン８を停止する。
このような制御は、図５中、状態番号が「５」で「自然空冷」となる。つまり、外気温が設定温度より低く、かつ、室内温度が設定温度より低いので、空気排気手段７と外部空気取込手段５を運転することによって、涼しい外気を外部空気取込手段５によって取り入れる。また、天井付近の高温の空気は開口部６ｂから天井裏３ａに流入したうえで、空気排気手段７によって外部に排気される。
（１ｃ）室内温度＜Ｔset かつ 外気温≧Ｔsetのとき、制御手段１０が外部空気取込手段５、空気引込手段６、空気排気手段７、エアコン８を停止する。
このような制御は、図５中、状態番号が「９」で「保冷」となる。つまり、室内温度が設定温度より低い一方、外気温が設定温度以上であるので、空気排気手段７と外部空気取込手段５を停止し、外気の侵入を防止して、保冷を行う。
（１ｄ）室内温度≧Ｔsetかつ外気温＜Ｔminのとき、制御手段１０が空気排気手段７と外部空気取込手段５を運転し、空気引込手段６とエアコン８を停止する。
このような制御は、図５中、状態番号が「３」で「自然空冷」となる。つまり、室内温度が設定温度以上である一方、外気温が下限温度（例えば２０℃）より低いので、空気排気手段７と外部空気取込手段５を運転することによって、涼しい外気を外部空気取込手段５によって穏やかに取り入れる。
ここで、Ｔminは、寒さ防止のための下限温度であり、デフォルト値は２０℃に設定される。また、後述するＴmaxは、高温防止のための上限温度であり、デフォルト値は３０℃に設定される。また、Ｔmin＜Ｔset＜Ｔmaxとする。
【００４０】
また、本実施の形態では、
（２）温度センサ１２によって検出された天井付近の温度が、温度センサ１１によって検出された室内温度より所定温度ｄｔ（例えば３℃）高い温度未満の場合において、つまり、トップライト付近に高温の空気があまり溜まっていない場合に以下のような制御を行う。
【００４１】
（２ａ）室内温度≧Ｔsetのとき、制御手段１０が空気排気手段７、外部空気取込手段５、空気引込手段６を運転し、エアコン８を停止する。
このような制御は、外気温＜Ｔset、外気温≧Ｔsetの双方の場合で行われる。
外気温＜Ｔsetの場合、図５中、状態番号が「６」で「強制空冷」となる。つまり、外気温が設定温度より低いので、天井付近の高温の空気を空気引込手段６によって天井裏１ａに引き込み、さらに、空気排気手段７によって外部に排気するとともに、外部空気取込手段５によって涼しい外気を室１に取り入れる。
外気温≧Ｔsetの場合、図５中、状態番号が「１０」で「強制排熱」となる。つまり、外気温が設定温度以上であるが、天井付近の高温の空気を空気引込手段６によって天井裏１ａに引き込み、さらに、空気排気手段７によって外部に排気する。一方、外部空気取込手段５によって設定温度以上の外気が取り入れられるが、この外気によって、室内が撹拌されるので、高温の空気の淀みを防止できる。
（２ｂ）室内温度＜Ｔsetのとき、制御手段１０が空気排気手段７、外部空気取込手段５、空気引込手段６、エアコン８を停止する
このような制御は、外気温＜Ｔset、外気温≧Ｔsetの双方の場合で行われる。
外気温＜Ｔsetの場合、図５中、状態番号が「４」で「保冷」となる。つまり、室内温度および外気温の双方が設定温度より低いので、空気排気手段７、外部空気取込手段５、空気引込手段６を停止して、外気の侵入を防止して、保冷を行う。
外気温≧Ｔsetの場合、図５中、状態番号が「８」で「保冷」となる。つまり、室内温度が設定温度より低い一方、外気温が設定温度以上であるので、空気排気手段７、外部空気取込手段５を閉鎖し、外気の侵入を防止して、保冷を行う。
（２ｃ）室内温度≧Ｔsetかつ外気温＜Ｔminのとき、制御手段１０が空気排気手段７、外部空気取込手段５、空気引込手段６を運転し、エアコン８を停止する。
このような制御は、図５中、状態番号が「２」で「強制空冷」となる。つまり、外気温が下限温度より低いので、天井付近の高温の空気を空気引込手段６によって天井裏１ａに引き込み、さらに、空気排気手段７によって外部に排気するとともに、外部空気取込手段５によって涼しい外気を取り入れる。
【００４２】
さらに、本実施の形態では、
（３）室内温度＜Ｔsetかつ外気温＜Ｔminのとき、制御手段１０が空気排気手段７、外部空気取込手段５、空気引込手段６、前記エアコン８を停止する。
このような制御は、図６中、状態番号が「１」で「過冷却防止」となる。つまり、室内温度が設定温度より低く、外気温が下限温度より低いので、空気排気手段７、外部空気取込手段５、空気引込手段６を停止し、外気の侵入を防止して、この室の過冷却を防止する。
【００４３】
加えて、本実施の形態では、
（４）室内温度≧Ｔmaxかつ外気温≧Ｔsetのとき、制御手段１０が空気排気手段７、外部空気取込手段５、空気引込手段６を停止し、前記エアコン８を運転する。
このような制御は、図５中、状態番号が「１２」で「撹拌冷房」となる。つまり、室内温度が上限温度以上でかつ外気が設定温度以上であるので、制御手段１０が空気排気手段７、外部空気取込手段５を停止、高温の外気の侵入を防止しつつ、エアコン８を下向き送風運転して、室１の空気を撹拌しながら冷房する。
【００４４】
このような空調制御は、室２,３にも同様にして行われる。部屋２の空調制御の場合、空気引込手段６によって天井裏２ａに引き込んだ空気は、吹出口１４から吹き出されて、室１内を上昇し、室１の空気引込手段６によって天井裏１ａに引き込まれる。したがって、制御手段１０によって、室２の空気引込手段６を運転する場合、これに同期して室１の空気引込手段６を運転する。
【００４５】
本実施の形態によれば、居住者の睡眠状態の変化に合わせて室内空調モードをオン・オフ制御できるので、居住者に対して快適な睡眠時間を提供することができる一方で、無駄な電力の使用を防ぐことができ、省エネ効果を高めることができる。
【００４６】
また、前記環境情報収集手段により収集された環境情報に従って各モードで動作するので、各モードを組み合わせて環境調整を行うことで、エネルギーコストを低減しながら、居住者にとって快適な睡眠環境を形成できる。
【００４７】
また、制御手段１０によって開口部の開閉を制御できるので、居住者の睡眠状態に合わせて開口部を開放して外気を取り入れたり、開口部を閉塞して換気を止めたりでき、居住者にとって快適な睡眠環境を形成できる。
【００４８】
また、照明装置の調光を制御できるので、居住者の睡眠状態に合わせて部屋を明るくしたり暗くしたりできる。これによって、快適な睡眠環境だけでなく、快適な起床環境も形成できる。
【００４９】
また、遮蔽装置を制御できるので、居住者の睡眠状態に合わせて日射を遮ったり取り込んだりできる。これによって、快適な睡眠環境だけでなく、快適な起床環境も形成できる。
【００５０】
また、設定温度、室内温度、外気温に基づいて、制御手段１０が外部空気取込手段５、空気引込手段６、空気排気手段７、エアコン８の運転・停止を室１,２,３ごとに細かく１４段階で制御できる。
また、室内空調モードがオフのときに加えて、室内空調モードがオンのときにも、外部空気取込手段５、空気引込手段６、空気排気手段７、エアコン８の運転・停止を細かく制御するので、更に省エネとなる。
さらに、室内温度が設定温度以上で、かつ外気温が下限値未満で涼しい場合に、空気排気手段７と外部空気取込手段５を運転し、空気引込手段６とエアコン８を停止するので、室内が自然空冷となり、空気引込手段６とエアコン８が消費する電力を削減でき、省エネとなる。
加えて、室内温度が設定温度以上で、かつ、外気温が下限値未満で涼しい場合に、空気排気手段７、外部空気取込手段５、空気引込手段６を運転し、エアコン８を停止するので、室内が強制空冷となり、エアコンなしでも、室内温度を速やかに設定温度またはそれ以下に近付けることができる。
【００５１】
また、室内温度が設定温度未満で、かつ外気温が下限値未満で涼しい場合に、外部空気取込手段５、空気引込手段６、空気排気手段７、エアコン８を停止するので、室が過冷却されるのを防止できるともに、外部空気取込手段５、空気引込手段６、空気排気手段７、エアコン８が消費する電力を削減でき、省エネとなる。
また、室内温度が上限温度以上で、かつ外気温が設定温度以上のときに、空気排気手段７、外部空気取込手段５、空気引込手段６を停止して室内を密閉し、エアコン８を運転するので、室内を効果的に冷房できる。
さらに、温度センサ（室内温度検出手段）１１がリモコン１６に内蔵されているので、温度センサ専用の設置スペースが必要なく、しかも、温度センサ１１をリモコン１６の筺体によって保護できる。
また、外気温度検出手段１３が１階の床下でかつ風通しのよい場所に設置されているので、正確な外気温度を検出できる。
【００５２】
なお、本実施の形態では、夏季における建物内の睡眠環境調整システムについて説明したが、冬季の場合、天井裏１ａ,２ａ,３ａや小屋裏に暖かい空気が存在しているので、空気引込手段６のファン６ａを逆回転させることによって、天井裏１ａ,２ａ,３ａや小屋裏の温かい空気を室１,２,３に開口部６ｂから吹き出すことができる。
また、室１,２,３の天井裏１ａ,２ａ,３ａに設けられているファン６ａの回転方向を制御部１０によって切り替えることによって、室間の空気移動を行うことができる。例えば南側に位置する室から北側に位置する室に空気を移動させることによって、室間温度差を解消できる。
さらに、複数のファン６ａのうちから運転するファン６ａを適宜選択することによって、必要な経路のみ空気を移動させることができるので、室の空調を迅速に行うことができる。
【符号の説明】
【００５３】
１,２,３  室
１ａ,２ａ,３ａ  天井裏
５  外部空気取込手段
６  空気引込手段
７  空気排気手段
８  エアコン
１０  制御手段
１１  室内温度検出手段
１２  上方温度検出手段
１３  外気温度検出手段
【図１】
0005749622.tif 000002
【図２】
0005749622.tif 000003
【図３】
0005749622.tif 000004
【図４】
0005749622.tif 000005
【図５】
0005749622.tif 000006
【図６】
0005749622.tif 000007